(57)【要約】【課題】油煙に含まれる油を捕集する油捕集機構部を有し、お手入れ性を向上したレンジフードを提供することを目的とする。【解決手段】油煙を吸込む吸込口２を有するフード本体５と、フード本体５の内部に設けられ、吸込口２から吸込まれた油煙を排気するファン８と、フード本体５に取り付けられる整流板７と、吸込口２から吸込まれる油煙の油を捕集する油捕集機構部３と、を備えたレンジフード１であって、油捕集機構部３を、吸込口２の外側におけるフード本体５の下面から下方に向かって突出して設け、吸込口２から吸込まれる油煙は、油捕集機構部３に衝突した後に吸込口２からフード本体５内部に流入するという構成にしたことにより、使用者から手の届きやすい位置に油捕集機構部３が設けられるので、お手入れ性の向上したレンジフードを得られる。【選択図】図５
2019174020.tif 000002
【特許請求の範囲】
【請求項１】
油煙を吸込む吸込口を有するフード本体と、
前記フード本体の内部に設けられ、前記吸込口から吸込まれた油煙を排気するファンと、
前記フード本体に取り付けられる整流板と、
前記吸込口から吸い込まれる油煙の油を捕集する油捕集機構部と、を備えたレンジフードであって、
前記油捕集機構部は、前記吸込口の外側における前記フード本体の下面から下方に向かって突出して設けられ、
前記吸込口から吸い込まれる油煙は、前記油捕集機構部に衝突した後に前記吸込口から前記フード本体内部に流入することを特徴とするレンジフード。
【請求項２】
前記整流板は、前記油捕集機構部で捕集された油を溜める油受け部を含み、
前記油捕集機構部は、前記吸込口に向かって内側に湾曲した湾曲部分を含み、
前記油捕集機構部で捕集された油は、前記湾曲部分に沿って前記油受け部に誘導されることを特徴とする請求項１に記載のレンジフード。
【請求項３】
前記整流板は、前記フード本体の下面と対向する平坦部を含み、
前記油受け部は、前記吸込口の直下に設けられ、前記平坦部よりも窪んだ部分であることを特徴とする請求項２に記載のレンジフード。
【請求項４】
前記油受け部は、前記整流板の中央に設けられ、
前記整流板は、前記油受け部に向かって傾斜する傾斜部を含み、
前記油捕集機構部で捕集された油は、前記傾斜部に沿って前記油受け部に誘導されることを特徴とする請求項２に記載のレンジフード。
【請求項５】
前記吸込口から吸い込まれる油煙は、前記油捕集機構部の外側側面に衝突した後に前記吸込口から前記フード本体内部に流入することを特徴とする請求項１〜４のいずれか１項に記載のレンジフード。
【請求項６】
前記油捕集機構部は、前記吸込口の周縁から下方に向かって突出して設けられることを特徴とする請求項１〜５のいずれか１項に記載のレンジフード。
【発明の詳細な説明】
【技術分野】
【０００１】
本発明は、ガスコンロ、電磁調理器等の厨房器具の上方に設けられ、調理時に発生する煙や熱気等を捕集して屋外に排出するレンジフードに関するものである。
【背景技術】
【０００２】
従来、この種のレンジフードは、整流板に設けられた吸込口より吸込んだ空気を、油捕集機構部に衝突させて下向きに方向転換させ、且つ油捕集機構部により捕集された油分等を整流板の上面に滴下させるようにしたレンジフードが知られている（例えば、特許文献１参照）。
【０００３】
以下、そのレンジフードについて図７を参照しながら説明する。
【０００４】
図７に示すように、レンジフード１０１の油捕集部は、フード本体１０２と、油捕集機構部１０３と、吸込口１０４を有する整流板１０５からなる。このレンジフードは、吸込口１０４を通過した空気を油捕集機構部１０３に衝突させることによって空気中の油分等を捕集することを利用し、フィルタレスで油捕集をすることができる。
【先行技術文献】
【特許文献】
【０００５】
【特許文献１】特開２００９−１９２１１９号公報
【発明の概要】
【発明が解決しようとする課題】
【０００６】
このような従来のレンジフードにおいては、油捕集機構部がフード本体の内側に設けられることで、油捕集機構部を掃除する際に、フード本体の内側に手を入れねばならず、掃除が困難であるという課題を有していた。
【０００７】
そこで本発明は、上記従来の課題を解決するものであり、油捕集ができる機能を保ちつつ、お手入れ性を向上させたレンジフードを提供することを目的とする。
【課題を解決するための手段】
【０００８】
そして、この目的を達成するために、本発明の一態様に係るレンジフードは、汚染された空気を吸込む吸込口を有するフード本体と、前記フード本体の内部に設けられ、前記吸込口から吸込まれた空気を排気する排気装置と、前記フード本体の下面に取り付けられる整流板と、前記吸込口に吸込まれる空気に含まれる油分等を捕集する油捕集機構部と、を備えたレンジフードであって、前記油捕集機構部は、フード本体の下面から下方に向かって突出して設けられるものであり、これにより所期の目的を達成するものである。
【発明の効果】
【０００９】
本発明によれば、油を捕集する機能を保ちつつ、お手入れ性が向上したレンジフードを提供することができる。
【図面の簡単な説明】
【００１０】
【図１】本発明の実施の形態１のレンジフードを示す斜視図
【図２】同レンジフードの整流板を取り付ける様子を示す斜視図
【図３】同レンジフードの整流板を取り外した状態を示す斜視図
【図４】同レンジフードの、空気の流れを示す断面図
【図５】同レンジフードの、油の流れを示す断面図
【図６】本発明の実施の形態２のレンジフードを示す斜視図
【図７】同レンジフードの油の流れを示す断面図
【図８】従来のレンジフードを示す断面図
【発明を実施するための形態】
【００１１】
本発明の一態様に係るレンジフードは、油煙を吸込む吸込口を有するフード本体と、前記フード本体の内部に設けられ、前記吸込口から吸込まれた空気を排気する排気装置と、前記フード本体の下面に取り付けられる整流板と、前記吸込口に吸込まれる空気に含まれる油分等を捕集する油捕集機構部と、を備えたレンジフードであって、前記油捕集機構部は、フード本体の下面から下方に向かって突出して設けられるものであり、前記吸込口に吸込まれる空気は、前記油捕集機構部に衝突した後に前記吸込口から前記フード本体内部に流入する、という構成を有する。これにより、吸込口を形成する油捕集機構部がフード本体下面から下方に向かって突出して設けられることになる。したがって、油捕集機構部が吸込口の内側に設けられないため、使用者から手が届きやすい場所に油捕集機構部が位置することとなる。すなわち、掃除をする際に吸込口の内側やフード本体５の内部に手を入れる必要がなくなるので、お手入れ性が向上したレンジフードを提供することが出来るという効果を奏する。また、例えば板金等のフィルタを別途設けることなく、効率的に油を捕集できるため、掃除が必要な部材を減らすことができるという効果を奏する。
【００１２】
また、前記整流板は、前記油捕集機構部で捕集された油を溜める油受け部を含み、前記油捕集機構部は、前記吸込口に向かって内側に湾曲した部分を含み、前記油捕集機構部で捕集された油は、前記湾曲部分に沿って前記油受け部に誘導される、という構成にしてもよい。これにより、油捕集機構部で捕集された油は、湾曲部分に沿って油受け部に誘導されることになるので、捕集された油を効率よく回収できるという効果を奏する。
【００１３】
また、前記整流板は、前記フード本体の下面と対向する平坦部を含み、前記油受け部は、前記吸込口の直下に設けられ、前記平坦部よりも窪んだ部分に設けるという構成にしてもよい。これにより、捕集された油が効率よく油受け部に溜まり、油受け部が周囲の平坦部より低い部分であるため、油受け部に溜まった油が整流板を外す際にこぼれにくいという効果を奏する。
【００１４】
また、前記油受け部は、前記整流板の中央に設けられ、前記整流板は、前記油受け部に向かって傾斜する傾斜部分を含み、前記油捕集機構部で捕集された油は、前記傾斜部に沿って前記油受け部に誘導されるという構成にしてもよい。これにより、油捕集機構部で捕集された油は、傾斜部に沿って油受け部に誘導されるので、捕集された油を効率よく回収することができる。
【００１５】
また、前記吸込口から吸込まれる油煙は、前記油捕集機構部の外側側面に衝突した後に前記吸込口から前記フード本体内部に流入するという構成にしてもよい。これにより、油捕集機構部において、油煙が衝突するのが内側側面ではなく外側側面であるので、汚れがつきやすい箇所を使用者がより掃除しやすいという効果を奏する。
【００１６】
また、前記油捕集機構部は、前記吸込口の周縁から下方に向かって突出して設けられるという構成にしてもよい。これにより、油捕集機構部は、吸込口の外周を囲うように周縁から立設されるので、吸込口により近いところで油が捕集できるという効果を奏する。
【００１７】
以下、本発明の実施の形態について図面を参照しながら説明する。
【００１８】
（実施の形態１）
図１は、本発明のレンジフード１を斜め下方より見た斜視図、図２は、レンジフード１の整流板７を取り付ける様子を示す斜視図、図３は、レンジフード１の整流板７を外して図１と同じ角度で見た斜視図である。
【００１９】
図１および図２に示すように、レンジフード１は、例えば調理器具の上方に設けられ、フード本体５と、整流板７と、排気装置９と、を備えている。
【００２０】
フード本体５は、空気を吸込む吸込口２と、油捕集機構部３と、整流板固定部材４と、を有する。なお、フード本体５にレンジフード１の運転を操作する操作部等を設けてもよい。
【００２１】
吸込口２は、例えばフード本体５の下面に設けられる開口である。
【００２２】
油捕集機構部３は、吸込口２の外側におけるフード本体５の下面から下方に向かって突出して設けられる。すなわち、油捕集機構部３は、吸込口２の外周近傍においてフード本体５の下面から立設されている。
【００２３】
なお、油捕集機構部３の幅ならびに高さは、吸込口２から吸い込まれる空気が衝突して油が付着するのに十分な幅ならびに高さであればよい。また、油捕集機構部３の形状も図示したものに限られず、例えば空気と接触する表面積を大きくするために凹凸等を有していてもよい。
【００２４】
整流板固定部材４は、例えばＵ字状の円柱の鉄材でできており、整流板７を保持する。
【００２５】
整流板７は、フード本体５の整流板固定部材４に引っ掛けて整流板７を固定するための引っ掛け部６を有している。また整流板７は、吸込口２を覆うように、引っ掛け部６をフード本体５の整流板固定部材４に、複数個所（例えば４箇所）引っ掛けることで、フード本体５の下面に取り付けられる。
【００２６】
排気装置９は、ファン８を備えた遠心送風機を含み、吸込口２から吸込まれた空気を排気する。
【００２７】
図４は、調理器具３１の上方に設けられ、レンジフード１の排気装置９を運転した際の空気の流れ３２を示す断面図、図５は、調理器具３１の上方に設けられ、レンジフード１の油捕集機構部３によって捕集した油の流れ３３を示す断面図である。以下、図４及び図５の左方を前（使用者から見て手前側）として説明する。
【００２８】
図４に示すように、排気装置９の運転により、整流板７とフード本体５の下面との間から吸込まれた空気は、油捕集機構部３に衝突した後に、吸込口２からフード本体５の内部に流入し、例えば排気口（図示せず）から屋外に排気される。すなわち、整流板７及び油捕集機構部３は風路の一部を構成する。また、吸込口２から吸い込まれる空気が流れる風路において、油捕集機構部３は吸込口２の上流側に設けられることとなる。
【００２９】
図５に示すように、油分を含んだ空気が風路（特に整流板７と油捕集機構部３とで仕切られる空間）を通過した際、空気が油捕集機構部３に衝突して、空気に含まれていた油分等が油捕集機構部３に捕集される。捕集された油分等は油捕集機構部３に備えられた湾曲部分１２に沿って誘導され、整流板７上に溜まる。
【００３０】
このような構成によれば、油捕集機構部３が、フード本体５の下面から下方に向かって突出して設けられることになる。すなわち、油捕集機構部３が吸込口の内側に設けられないため、使用者から手が届きやすい場所に油捕集機構部が位置することとなり、フード本体５の内側を掃除する必要がなくなるため、お手入れ性を向上させることができる。
【００３１】
また、整流板７は、油受け部１０と、平坦部１１と、を含み、油捕集機構部３は、湾曲部分１２を含むという構成であってもよい。
【００３２】
油受け部１０は、油捕集機構部３で捕集された油を溜める。すなわち、油が溜まる部分（油受け部１０）は整流板７と一体に設けられていることとなる。
【００３３】
なお、油受け部１０は、フード本体５の吸込口２の直下に設けられ、平坦部１１よりも窪んだ部分であることが好ましい。これにより、油捕集機構部３で捕集された油が、平坦部１１より窪んだ（低い）部分である油受け部１０に溜まることとなるので、整流板を７外す際にこぼれにくくなる。
【００３４】
なお、吸込口２の直下とは、厳密な真下を意味するものではなく、平面視において油受け部１０と吸込口２が重なる位置であればよい。
【００３５】
平坦部１１は、フード本体５の下面と対向する平坦な面である。吸込口２から吸い込まれる空気は、平坦部１１とフード本体５の下面とで仕切られる領域を通過する。
【００３６】
湾曲部分１２は、油捕集機構部３において吸込口２に向かって内側に湾曲した部分である。すなわち、湾曲部分１２の下側端部は、湾曲部分１２の上側端部より吸込口２の中心に近い位置にある。
【００３７】
このとき、油捕集機構部３で捕集された油は、湾曲部分１２に沿って油受け部１０に誘導される。この構成によれば、油捕集機構部３で捕集された油は、湾曲部分１２に沿って下方に進み、整流板７の平坦部１１もしくは油受け部１０に誘導される。平坦部１１に誘導された場合、油は油受け部１０に向かう経路の途中にあることになる。ここで、排気装置９の運転中においては、空気の流れのほとんどが整流板７の中心にある油受け部１０の方向を向くことになるので、平坦部１１上にある油は油受け部１０に誘導されることになる。このように、油捕集機構部３によって捕集された油は、湾曲部分１２により、直接もしくは平坦部１１を通過して油受け部１０に誘導されることになるので、捕集された油を効率よく回収することができる。
【００３８】
図５において斜線で示す油溜まり３４が、油受け部１０に油が溜まった部分を示している。
【００３９】
なお、吸込口２から吸込まれる油煙は、油捕集機構部３の外側側面に衝突した後に吸込口２からフード本体５に流入するという構成にしてもよい。ここで、油捕集機構部３の内側とは、吸込口２側をいう。このとき、油捕集機構部３の内側側面ではなく外側側面に沿って油が油受け部１０に誘導されることとなる。この構成によれば、油捕集機構部３において油煙が衝突する部分は油捕集機構部３の外側側面であるため、油捕集機構部３の内側に汚れがつきにくく、汚れがつきやすい箇所を掃除しやすくなる。なお、このとき油捕集機構部３の外側側面は湾曲部分１２の外側側面であってもよい。
【００４０】
また、油捕集機構部３は、吸込口２の周縁から下方に向かって突出して設けられるという構成にしてもよい。すなわち、吸込口２の外周部分から油捕集機構部３が立設している構成であってもよい。この構成によれば、油捕集機構部３と吸込口２との距離が小さくなるため、吸込口２により近いところで油が捕集できる。なおこのとき、吸込口２の外周が油捕集機構部３で囲われる、すなわち油捕集機構部３によって吸込口２の一部が形成されることとなる。
【００４１】
（実施の形態２）
図６、図７を用いて、実施の形態２に係るレンジフード１の構成を説明する。
【００４２】
なお、図６、図７において、図１〜図５と同様の構成要素については同一の符号を付し、その詳細な説明は省略する。
【００４３】
図６及び図７に示すように、レンジフード１に備える整流板７は、傾斜部１３を含み、油受け部１０が整流板７の中央に設けられるという構成であってもよい。
【００４４】
傾斜部１３は、整流板７の端部から、整流板７の中央に向かって、整流板７を下方から見たときの対角線上に溝を設け、逆四角錐型に傾斜する。言い換えると、傾斜部１３は、整流板７の端部から油受け部１０に向かって、逆四角錐型に傾斜する。この構成によれば、油捕集機構部３で捕集された油が、傾斜部１３に沿って滑らかに油受け部１０に誘導されるので、捕集された油を効率よく回収することができる。なお、この場合においても、捕集された油は、油捕集機構部３に設けられた湾曲部分１２に沿って傾斜部１３へ誘導されることが望ましい。これにより、さらに効率よく油を回収することができる。
【００４５】
図７において斜線で示す油溜まり３４が、油受け部１０に油が溜まった状態である。
【００４６】
図７に示すように油受け部１０は、整流板７において傾斜部１３より低い位置にあるので、整流板７を外す際に油がこぼれにくい。
【００４７】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００４８】
本発明に係るレンジフードは、油捕集ができる機能を保ちつつ、お手入れ性を向上させることを可能にするものであるので、厨房に設けている排気装置等として有用である。
【符号の説明】
【００４９】
１    レンジフード
２    吸込口
３    油捕集機構部
４    整流板固定部材
５    フード本体
６    引っ掛け部
７    整流板
８    ファン
９    排気装置
１０    油受け部
１１    平坦部
１２    湾曲部分
１３    傾斜部
３１    調理器具
３２    空気の流れ
３３    油の流れ
３４    油溜まり
【図１】
2019174020.tif 000003
【図２】
2019174020.tif 000004
【図３】
2019174020.tif 000005
【図４】
2019174020.tif 000006
【図５】
2019174020.tif 000007
【図６】
2019174020.tif 000008
【図７】
2019174020.tif 000009
【図８】
2019174020.tif 000010